(57)【特許請求の範囲】
【請求項１】
コネクタハウジングに一体に設けられて相手側コネクタの嵌合フード部内に挿入されると共に、端子金具を収容する端子収容室が設けられた筒状部と、前記端子収容室内に設けられて端子金具と係合し端子金具の端子収容室内からの抜けを阻止する可撓性の係止腕と、前記コネクタハウジングに装着して前記可撓性の係止腕の撓み空間内に挿入されて係止腕のたわみを阻止するスペーサと、前記筒状部の外周に装着されると共に、相手側コネクタと筒状部との間をシールする防水栓とを有する防水コネクタにおいて、前記コネクタハウジングの相手側コネクタの嵌合側への前記スペーサの装着により、前記筒状部からの防水栓の抜けを阻止する位置に移動可能な抜止手段を前記コネクタハウジングに一体に設けられ、
前記抜止手段が、コネクタハウジングと一体に形成されて、コネクタハウジングへのスペーサの未装着時に位置して防水栓の抜けを許す非抜止位置と、コネクタハウジングへのスペーサの装着時に位置して防水栓の抜けを阻止する抜止位置との間でたわみ変形可能な可撓板であることを特徴とする防水コネクタ。
【請求項２】
請求項１記載の発明であって、前記可撓性の係止腕の撓みが阻止されると共に、前記抜止手段による防水栓の抜けが阻止される本係止位置と、係止腕の撓みを許すと共に、前記抜止手段による防水栓の抜けが阻止される仮係止位置とで前記スペーサが前記コネクタハウジングに装着されることを特徴とする防水コネクタ。
【発明の詳細な説明】
【０００１】
【産業上の利用分野】
本発明は、防水コネクタに関する。
【０００２】
【従来の技術】
図３及び図４は、特開昭６４−５９７８７号公報に記載の防水コネクタ１を示す。同図において、このコネクタ１は、コネクタハウジング３と一体に筒状部５が形成され、この筒状部５を覆うようにフード部７が形成されている。このフード部７と筒状部５との間には相手側コネクタが挿入される挿入用空所９が設けられている。筒状部５には、端子金具１１が収容される端子収容室１３が形成されている。この端子収容室１３の内壁からは可撓性の係止腕１５が突設されている。可撓性の係止腕１５は、端子収容室１３内に収容された端子金具１１と係合して、端子収容室１３内からの端子金具１１の抜けを阻止する。
【０００３】
また、コネクタ１には、筒状部５の外周に防水栓１７が装着されている。この防水栓１７は挿入用空所９内に挿入された相手側コネクタのフード部の内壁と筒状部５の外周との間に密着状態で挟持され、相手側コネクタのフード部と筒状部５との間をシールする。
【０００４】
さらに、このコネクタ１には、筒状部５に二重係止用のキャップ１９が装着されている。このキャップ１９は、一方が開口された筒状で、開口縁部が外側に突出してストッパ部２１が形成されている。そして、筒状部５の前面側（相手側コネクタの端子が挿入される側）を内部に嵌入して装着されている。この状態では、キャップ１９が、端子収容室１３内の端子金具１１に係合している可撓性の係止腕１５の撓み空間に位置するため、係止腕１５はたわみが阻止されている。これにより、端子金具１１は、可撓性の係止腕１５との係合と、可撓性の係止腕１５のたわみを阻止することにより、端子収容室１３内に二重に係止されている。
【０００５】
また、キャップ１９のストッパ部２１は、筒状部５に装着されている防水栓１７の端部に当接することにより、防水栓１７をコネクタハウジング３との間で挟持する。これにより、挿入用空所９内への相手側コネクタの挿抜時に防水栓１７の位置がずれたり、筒状部５から不用意に離脱しないようになっている。
【０００６】
また、二重係止用のキャップが、防水栓のコネクタハウジングからの離脱を阻止する構造の防水コネクタとしては、特開平１−２１３９７３号公報でも提案されている。この公報の防水コネクタでは、キャップが筒状部に完全に嵌合して、係止腕の撓みを阻止すると共に、防水栓をコネクタハウジングとの間で挟持する本係止位置と、キャップが筒状部から若干外れて、係止腕のたわみを許す仮係止位置とで装着出来るようになっている。この防水コネクタによれば、キャップを仮係止位置に装着して、係止腕を撓ませることで端子金具を端子収容室内から抜き出すことが出来るようになっている。
【０００７】
【発明が解決しようとする課題】
しかしながら、上記公報に記載された例えば防水コネクタ１は、相手側コネクタを挿入用空所９内から抜き出すとき、相手側コネクタの抜き出し方向に防水栓１７が引っ張られるため、筒状部５へのキャップ１９の嵌合力が弱いと、相手側コネクタと共に、キャップ１９及び防水栓１７が筒状部から外れてしまうという問題がある。
【０００８】
そこで、筒状部５へのキャップ１９の嵌合力を強くして、キャップ１９を筒状部５にきつめに嵌合させると、今度は端子金具１１を端子収容室１３内から抜き出す際に、キャップ１９を筒状部５から外しにくくなり、端子金具を端子収容室内から抜き出すのが面倒な作業となる。
【０００９】
そこで、本発明は、相手側コネクタの抜き出しによるコネクタハウジングからの防水栓の外れを防止することが出来ると共に、端子金具を端子収容室から抜き出す際には手間がかかることのない防水コネクタの提供を目的とする。
【００１０】
【課題を解決するための手段】
上記目的を達成するため請求項１記載の発明は、コネクタハウジングに一体に設けられて相手側コネクタの嵌合フード部内に挿入されると共に、端子金具を収容する端子収容室が設けられた筒状部と、前期端子収容室内に設けられて端子金具と係合し端子金具の端子収容室内からの抜けを阻止する可撓性の係止腕と、前記コネクタハウジングに装着されて前記可撓性の係止腕の撓み空間内に挿入され係止腕のたわみを阻止するスペーサと、前記筒状部の外周に装着されると共に、相手側コネクタと筒状部との間をシールする防水栓とを有する防水コネクタにおいて、前記コネクタハウジングの相手側コネクタの嵌合側への前記スペーサの装着により、前記筒状部からの防水栓の抜けを阻止する位置に移動可能な抜止手段を前記コネクタハウジングに一体に設けられ、前記抜止手段が、コネクタハウジングと一体に形成されて、コネクタハウジングへのスペーサの未装着時に位置して防水栓の抜けを許す非抜止位置と、コネクタハウジングへのスペーサの装着時に位置して防水栓の抜けを阻止する抜止位置との間でたわみ変形可能な可撓板であることを特徴としている。
【００１１】
請求項２記載の発明は、請求項１記載の発明であって、前記可撓性の係止腕の撓みが阻止されると共に、前記抜止手段による防水栓の抜けが阻止される本係止位置と、係止腕の撓みを許すと共に、前記抜止手段による防水栓の抜けが阻止される仮係止位置とで前記スペーサが前記コネクタハウジングに装着されることを特徴としている。
【００１３】
【作用】
請求項１の発明によれば、スペーサをコネクタハウジングの相手側コネクタの嵌合側に装着すると、コネクタハウジングに一体に形成された抜止手段が移動して、筒状部からの防水栓の抜けを阻止する。また、相手側コネクタをコネクタハウジングから抜き出すと、抜き出し方向に防水栓が引っ張られるが、コネクタハウジングと一体に形成された抜止手段が防水栓の抜けを阻止する。また、防水栓に加わる引張力は、スペーサに直接加わることがなく、スペーサがコネクタハウジングから外れることがない。
【００１４】
また、スペーサをコネクタハウジングに未装着の場合には、可撓板は非抜止位置に位置して防水栓の筒状部からの抜けを許す。また、スペーサをコネクタハウジングに装着すると、可撓板は抜止位置に撓んで防水栓の筒状部からの抜けを阻止する。
【００１５】
請求項２の発明によれば、スペーサをコネクタハウジングに本係止位置に装着すると、係止腕のたわみ空間に挿入されて係止腕の撓みが阻止されると共に、抜止手段が防水栓の抜けを阻止する位置に撓んだままとなる。
【００１６】
また、スペーサをコネクタハウジングに仮係止位置に装着すると、係止腕の撓み空間内に挿入することがなく係止腕が撓み可能な状態となるが、抜止手段は防水栓の抜けを阻止する位置に撓む。
【００１７】
従って、スペーサが仮係止位置、本係止位置のいずれかの位置でコネクタハウジングに係止されていれば、抜止手段が防水栓の抜けを阻止する位置に撓んで、防水栓の筒状部からの抜けを阻止する。
【００１８】
【実施例】
以下、本発明に係る防水コネクタの実施例について図面を用いて説明する。図１は実施例の防水コネクタ２３を示し、（ａ）は全体の構成を示す図であり、（ｂ）は組み付けた状態を示す。
【００１９】
図１（ａ）、（ｂ）に示すように、防水コネクタ２３は、筒状部２５とこの筒状部２５の外側に相手側コネクタの挿入用空所２７を形成するフード部２９とが一体に形成されたコネクタハウジング３１と、筒状部２５の外周に装着される防水栓３３と、コネクタハウジング３１に装着されるスペーサ３５とからなる。
【００２０】
筒状部２５には、端子金具（雌形端子金具）３７が収容される端子収容室３９、３９が形成され、これらの端子収容室３９、３９の間には挿入溝４１が設けられている。また、端子収容室３９の内壁からは、図１（ｂ）に示すように、可撓性の係止腕４３がそれぞれ突設されている。係止腕４３の先端部には係止段部４５が形成されている。この係止段部４５は、端子収容室３９内に収容された端子金具３７の係止孔３７ａに係合して、端子収容室３９内からの端子金具３７の抜けを阻止する。また、係止腕４３の下部には、係止腕４３の撓み空間４７が設けられている。撓み空間４７の下部には、抜止手段としての可撓板４９がコネクタハウジング３１と一体に形成されている。
【００２１】
可撓板４９は、図２（ａ）に示すように、平板状で先端部が端子収容室３９側に向けて傾斜してコネクタハウジング３１から突設されており、コネクタハウジング３１との連結部を中心に下方へ撓み変形自在となっている。また、可撓板４９には下面側に、ストッパ凸部５１が突設されている。この可撓板４９は、スペーサ３５がコネクタハウジング３１に装着されると、図２（ｂ）に示すように、略水平状態に撓んで、ストッパ凸部５１が、筒状部２５に装着された防水栓３３の端部と当接する抜止位置に位置する。また、スペーサ３５がコネクタハウジング３１に装着されていない状態では、撓むことがないので、図２（ａ）に示すように防水栓の抜けを許す非抜止位置に位置している。
【００２２】
スペーサ３５は、図１（ａ）に示すように、挿入本体５３と、この挿入本体５３の両側部から突設された撓み阻止部５５、５５（ただし反対側の撓み阻止部５５は不図示）と、この撓み阻止部５５、５５の外側に形成された案内部５７、５７とから形成されている。
【００２３】
挿入本体５３は、筒状部２５の端子収容室３９、３９間に設けられた挿入溝４１内に挿入される。また、撓み阻止部５５は、可撓性の係止腕４３の撓み空間４７内に挿入される。さらに、案内部５７、５７は、筒状部２５に設けられた案内溝５９、５９内にそれぞれ挿入される。また、挿入本体５３の両側壁には係止突起６１、６１（ただし反対側の係止突起６１は不図示）が突設されている。
【００２４】
係止突起６１は、挿入溝４１の内壁に設けられた係止孔６３、６５に係合して、挿入溝４１からのスペーサ３５の抜けを阻止する。この係止孔６３、６５は、端子収容室３９の入口側と奥側にそれぞれ設けられており、入口側の係止孔６３に係止突起６１が係合した状態では、スペーサ３５は仮係止位置に位置し、奥側の係止孔６５に係止突起６１が係合した状態では、スペーサ３５は本係止位置に位置する。
【００２５】
また、スペーサ３５は、仮係止位置では、撓み阻止部５５が撓み空間４７内に挿入されることがなく、本係止位置では、撓み阻止部５５が撓み空間４７内に挿入されて係止腕４３の撓みを阻止する。すなわち本係止位置では、端子収容室３９内に収容された端子金具３７は、係止腕４３と係合されて抜けが阻止され、係止腕４３の撓みがスペーサ３５により阻止されて二重に係止される。
【００２６】
次に、防水コネクタ２３を組み付ける手順について説明する。
【００２７】
図２（ａ）に示すように、筒状部２５に防水栓３３が装着されている状態から、スペーサ３５の挿入本体５３を挿入溝４１内に挿入し（すなわち、スペーサ３５をコネクタハウジング３１の相手側コネクタの嵌合側に装着し）、図２（ｂ）に示すように、係止突起６１を係止孔６３に係合させて、スペーサ３５を仮係止位置にする。この状態では、可撓板４９は略水平状態まで撓み、防水栓３３の端部にストッパ凸部５１が当接して防水栓３３の抜けを阻止する。また、この状態では、係止腕４３の撓み空間４７内に撓み阻止部５５は挿入されていない。次に、図２（ｂ）に示すように、端子金具３７を端子収容室３９内に、コネクタハウジング３１の後端部側から挿入し、係止孔３７ａ内に係止腕４３の係止段部４５を係合させる。
【００２８】
さらに、スペーサ３５を挿入溝４１内の奥方に挿入し、係止突起６１を係止孔６５内に係合して本係止位置にすると、撓み空間４７内に撓み阻止部５５が挿入されて係止腕４３の撓みが阻止されて、端子金具３７が端子収容室３９内に二重に係止される。また、可撓板４９が略水平位置まで撓が撓むことにより、図２（ｃ）に示すように、ストッパ凸部５１が防水栓３３の端部に当接して、防水栓３３の筒状部２５からの抜けが阻止される。
【００２９】
この状態で、図示しない相手側コネクタを挿入用空所２７内に挿入すると、相手側コネクタの嵌合フード部の内壁と筒状部２５との間に防水栓３３が密着状態で挟持されることにより、嵌合フード部の内壁と筒状部２５との間がシールされる。さらに、この状態から相手側コネクタの嵌合フード部を挿入用空所２７内から抜き出すと、防水栓３３はフード部内壁に引っ張られて筒状部２５から抜ける方向に力が加わるが、ストッパ凸部５１により、その移動が阻止されているので、防水栓３３が移動することがなく、筒状部２５から抜けることがない。また、防水栓３３が引っ張られて筒状部２５から抜ける方向に力が加わっても、この力がスペーサ３５に加わることがないので、相手側コネクタを外す際にスペーサ３５がコネクタハウジング３１から脱落することがない。
【００３０】
また、相手側コネクタを外す際にスペーサ３５に直接力が加わらないので、スペーサ３５を挿入溝４１内に挿入するときの挿入力を弱く設定することが出来る。従って、端子金具３７を端子収容室３９内から外す際に、スペーサ３５を本係止位置から仮係止位置に容易に抜き出すことが出来る。
【００３１】
さらに、端子金具３７を端子収容室３９内から抜き出す場合には、スペーサ３５を仮係止位置までコネクタハウジング３１から引き抜けば、図２（ｂ）に示すように撓み空間４７内から撓み阻止部５５が退避するので、係止腕４３を治具等により強制的に撓ませることで端子金具３７を端子収容室３９内から容易に抜き出すことが出来る。
【００３２】
なお、図において符号６７は、コネクタに嵌合した相手側コネクタと係合するロックアームを示す。
【００３３】
【発明の効果】
以上説明したように請求項１の発明によれば、コネクタハウジングに抜止手段を一体に設けたことにより、相手側コネクタをコネクタハウジングから抜き出す際に、抜き出し方向に防水栓が引っ張られても、コネクタハウジングと一体に形成された抜止手段が防水栓の抜けを阻止する。また、防水栓に加わる引張力は、スペーサに直接加わることがないので、コネクタハウジングの相手側コネクタの嵌合側へのスペーサの挿入力を弱く設定することが出来る。従って、相手側コネクタの抜き出しによるコネクタハウジングからの防水栓の外れを防止することが出来ると共に、端子金具を端子収容室から抜き出す際には手間がかかることがない。
【００３４】
また、スペーサをコネクタハウジングに仮係止位置及び本係止位置に装着すると、コネクタハウジングに一体に形成された可撓板が撓み変形して防水栓の抜けを阻止する。従って、相手側コネクタを抜き出す際に、スペーサに抜き出し方向の力が加わらないので、スペーサが脱落することがなく、また、防水栓もコネクタハウジングから抜け出ることがない。
【００３５】
請求項２の発明によれば、スペーサをコネクタハウジングに本係止位置に装着すると、可撓性の係止腕の撓みが阻止されると共に、前記抜止手段による防水栓の抜けが阻止される。仮係止位置に装着すると、防水栓の抜けが阻止されるが係止腕の撓みは許す。従って、スペーサが本係止位置、仮係止位置のいずれかの位置でコネクタハウジングに係止されていれば、抜止手段が防水栓の抜けを阻止する。
【図面の簡単な説明】
【図１】本発明に係る防水コネクタの実施例を示し、（ａ）は全体の構成を示す分解斜視図、（ｂ）は内部を示す断面図である。
【図２】本発明に係る防水コネクタの実施例を示し、（ａ）は端子金具、スペーサを組み付ける前の状態を示す防水コネクタを示す断面図、（ｂ）はスペーサを組み付けた状態を示す断面図、（ｃ）は端子金具、スペーサを組み付けた状態を示す断面図である。
【図３】従来の防水コネクタを示す断面図である。
【図４】従来の防水コネクタを示す分解斜視図である。
【符号の説明】
２３  防水コネクタ
２５  筒状部
３１  コネクタハウジング
３３  防水栓
３５  スペーサ
３７  端子金具
３９  端子収容室
４３  可撓性の係止腕
４７  撓み空間
４９  可撓板
【図１】
0003792736.tif 000002
【図２】
0003792736.tif 000003
【図３】
0003792736.tif 000004
【図４】
0003792736.tif 000005